(57)【要約】  眼鏡などの意匠性に優れた陳列品を、その意匠性をさらに高めて陳列させる陳列什器を提供する。  眼鏡１ａなどの小型軽量の陳列品を着脱自在に保持して展示する陳列什器２で、水平或いは垂直に設置される支持板１０と、支持板１０の前面に突設された互いに離隔して対向する複数の仕切板２０と、各仕切板を板厚方向から順に貫通して各仕切板に係止して保持される複数の陳列用シャフト３０を備える。シャフト３０は直線状のものや、屈曲して蛇行するものが使用される。複数本のシャフト３０を二次曲面や三次曲面の曲面状に配列して、陳列品を効果的に陳列する。
2007097021.tif 000002
【特許請求の範囲】
【請求項１】
支持板と、前記支持板の片面に支持された互いに離隔して対向する複数の仕切板と、前記複数の仕切板を板厚方向から順に貫通して各仕切板それぞれに保持される複数の陳列用シャフトを備え、前記仕切板は前記シャフトが挿脱自在に貫通する取付孔を有し、前記シャフトは両端部に、前記複数の仕切板の配列方向両端の仕切板の前記取付孔に係止する係止溝を有することを特徴とする陳列什器。
【請求項２】
前記複数の仕切板は、前記支持板に支持される側の縁部と反対側の縁部が二次曲線状で、この二次曲線状縁部に合う二次曲線状配列で複数の前記取付孔を形成したことを特徴とする請求項１に記載の陳列什器。
【請求項３】
前記仕切板は、前記二次曲線状縁部に陳列品を着脱自在に保持する凹凸部を有し、この凹凸部と前記シャフトで陳列品を着脱自在に保持して陳列することを特徴とする請求項２に記載の陳列什器。
【請求項４】
前記複数のシャフトが屈曲可能であることを特徴とする請求項１〜３のいずれかに記載の陳列什器。
【請求項５】
前記支持板に対して前記仕切板を、当該仕切板を取り付ける前記支持板の片面に平行な方向にスライド移動自在に支持したことを特徴とする請求項１〜４のいずれかに記載の陳列什器。
【請求項６】
前記支持板は、互いに着脱容易な係合手段をそれぞれに有して当該係合手段の係合で所定の交差角度で組立分解可能に連接される第１支持板と第２支持板を備え、この連接された第１支持板と第２支持板の前記交差角度で対向する内面側に前記複数の仕切板の縁部を第１支持板と第２支持板のそれぞれの内面に形成した係合溝に組立分解可能に連接したことを特徴とする請求項１〜５のいずれかに記載の陳列什器。
【請求項７】
前記複数の仕切板を、前記第１支持板の係合溝に挿脱自在に係合し、前記第２支持板の係合溝に係合後に固定手段で固定することを特徴とする請求項６に記載の陳列什器。
【発明の詳細な説明】
【技術分野】
【０００１】
本発明は、眼鏡や携帯電話、宝飾品、装身具などの陳列什器に関する。
【背景技術】
【０００２】
眼鏡やアクセサリーなどの比較的小型軽量の陳列品を店頭や展示会場で展示する場合、複数の同種の陳列品を立体的に保持して展示する陳列スタンドが公知である（例えば、特許文献１参照）。
【特許文献１】特開平０２−１０３３４４号公報
【発明の開示】
【発明が解決しようとする課題】
【０００３】
眼鏡の陳列スタンドは、眼鏡フレームを穴や溝に挿入して、フレームが少し開いた状態にして眼鏡を保持するものや、眼鏡の鼻受を保持してフレームが全開した状態で保持するものが一般的である。これら陳列スタンドは、眼鏡を安定して保持し、ある程度意匠性よく展示するが、特に意匠性よく展示する点にデザイン的な改善の余地が残されている。【０００４】
本発明の目的は、眼鏡などの意匠性に優れた陳列品を、その意匠性をさらに高めて陳列させる陳列什器を提供することにある。
【課題を解決するための手段】
【０００５】
本発明は、支持板と、この支持板の片面に支持された互いに離隔して対向する複数の仕切板と、この複数の仕切板を板厚方向から順に貫通して各仕切板それぞれに保持される複数の陳列用シャフトを備え、複数の仕切板はシャフトが挿脱自在に貫通する取付孔を有し、シャフトは両端部に複数の仕切板の配列方向両端の仕切板の取付孔に係止する係止溝を有する構造にて、上記目的を達成するものである。【０００６】
ここで、支持板と仕切板、シャフトはアクリル樹脂などの樹脂製品が強度、外観に優れることから望ましく、これら支持板、仕切板、シャフトの全表面に帯電防止処理を施すことができる。支持板の片面（内面）に複数の仕切板が支持板とほぼ直交させて支持され、この複数の仕切板に複数のシャフトが貫通して、複数の仕切板で複数の各シャフトが支持され、複数のシャフトで離隔する複数の各仕切板の間隔が安定に維持される。支持板は、１枚板構造の他、複数の板を分離可能に連結した複合板が適用できる。支持板に複数の仕切板を組立分解可能に取付ける、或いは、一体に固定する。隣接する仕切板の間のシャフトに、眼鏡などの比較的小型軽量の陳列品が載せ置き、引っ掛けなどにより保持され、そのままの状態で店頭や陳列車などで陳列される。複数のシャフトの全体の配列形態や、隣接するシャフトの間隔、方向性は、保持する陳列品の種類に応じて変更する。【０００７】
本発明においては、複数の仕切板は、支持板に支持される側の縁部と反対側の縁部が二次曲線状で、この二次曲線状縁部に合う二次曲線状配列で複数の取付孔を形成することができる。この場合、複数のシャフトが配列方向で二次曲線状にに並び、二次曲線に沿う二次曲面で複数の陳列品を陳列することで、意匠効果に優れた陳列ができる。【０００８】
また、本発明においては、複数の仕切板の二次曲線状縁部に陳列品を着脱自在に保持する凹凸部を形成し、この凹凸部とシャフトに陳列品を着脱自在に保持して陳列することができる。ここでの仕切板の凹凸部は、二次曲線状縁部に部分的に形成した切欠きや突片であり、この凹凸部とシャフトで陳列品を保持することで仕切板の二次曲線状縁部が有効利用ができ、陳列品をより安定した姿勢で陳列できる。【０００９】
また、本発明においては、複数のシャフトに屈曲可能なものを使用することができる。このシャフトは、屈曲させると弾性復帰する弾性体が望ましい。かかるシャフトは、直線状のまま複数の仕切板の取付孔に貫通させて使用する他、隣接する仕切板の間でシャフトを屈曲させて使用することができる。複数の仕切板の間を蛇行するように貫通させて取り付けたシャフトは、二次曲線や三次曲線を描き、陳列品を意匠効果に優れた二次曲面展示や三次曲面展示で陳列することができる。また、隣接する仕切板の間で屈曲したシャフトは、屈曲方向と反対方向に弾性復帰する力で仕切板の取付孔に弾圧されるため、仕切板とシャフトの係止力が増大し、陳列什器の組立強度が増す。【００１０】
また、本発明においては、支持板に対して仕切板を、仕切板を取り付ける支持板の片面に平行な方向にスライド移動自在に支持することができる。支持板に仕切板を、シャフトの軸方向にスライド移動自在に取り付けると、隣接する仕切板の間隔が調整できる。また、支持板に仕切板を、シャフトの軸方向と直交方向に取り付けると、仕切板にシャフトを貫通させて取り付けた後、隣接する一方の仕切板に対して他方の仕切板を相対的にスライドさせることでシャフトを屈曲させることができる。【００１１】
さらに、本発明においては、支持板は、互いに着脱容易な係合手段をそれぞれに有して当該係合手段の係合で所定の交差角度で組立分解可能に連接される第１支持板と第２支持板を備え、この連接された第１支持板と第２支持板の対向する内面側に複数の仕切板の縁部を第１支持板と第２支持板のそれぞれの内面に形成した係合溝に組立分解可能に連接した構造とすることができる。【００１２】
ここでの支持板の第１支持板と第２支持板の一方は、陳列棚の上面に載せ置きできる水平な底板（台板、座板）、または、陳列棚の下面に取付ける天板とすることができ、他方は陳列什器の背面を構成する背板（背面カバー）とすることができる。第１支持板と第２支持板の互いに着脱容易な係合手段は、差し込み溝（係合溝）と差し込み片（係合片）の組合せが望ましい。このような係合手段で第１支持板と第２支持板を連接することで、陳列什器の組立分解が容易になる。【００１３】
また、支持板に第１支持板と第２支持板を使用した陳列什器においては、複数の仕切板を第１支持板の係合溝に挿脱自在に係合し、第２支持板の係合溝に係合後に固定手段で固定することができる。【００１４】
ここでの固定手段は、ユリヤネジなどの意匠性の良いビスが適用できる。この場合、複数の仕切板に挿脱自在に係合させた第１支持板が仕切板から外れ易いため、陳列什器が埃などで汚れた場合、第１仕切板のみを取り外すことで陳列什器の掃除がし易くなる。
【発明の効果】
【００１５】
本発明によれば、支持板と複数の仕切板とシャフトといった形状がシンプルにでき、量産が容易で部品コストの安価なものを組み合わせるため、全体としての構造が複雑になるが製造組立が容易であり、安価に提供できる。また、複数の仕切板とシャフトの組み合わせて複数の陳列品を二次曲面展示や三次曲面展示といった意匠性に優れた展示ができ、眼鏡や携帯電話などの意匠性に優れた陳列品を、その意匠性をさらに高めて陳列させることが容易にできる優れた効果を奏する。
【図面の簡単な説明】
【００１６】
【図１】図１は、第１の実施形態を示す陳列什器（陳列スタンド）の斜視図である。
【図２】図２は、図１の陳列什器の組立時の斜視図である。
【図３】図３は、図２の陳列什器の拡大側面図である。
【図４】図４は、図１の陳列什器の分解斜視図である。
【図５】図５（Ａ）および（Ｂ）は、図３の陳列什器の部分拡大側面図および組立時の側面図である。
【図６】図６は、図１の陳列什器の清掃時の分解斜視図である。
【図７】図７は、第２の実施形態を示す陳列什器の斜視図である。
【図８】図８は、図７の陳列什器の組立時の斜視図である。
【図９】図９は、図７の陳列什器の組立時の平面図である。
【符号の説明】
【００１７】
１ａ、１ｂ    陳列品（眼鏡、携帯電話）
２    陳列什器（陳列スタンド）
１０    支持板
１１    第１支持板
１２    第２支持板
１３    係合手段
１５、１６    係合溝
１８    固定手段
２０    仕切板
２０ａ、２０ｂ    縁部
２０ｃ    二次曲線状縁部
２１    取付孔
２２    凹凸部
３０    シャフト
３１    係止溝
【発明を実施するための最良の形態】
【００１８】
以下、本発明に係る陳列什器の実施の形態を、図１〜図９を参照して説明する。【００１９】
図１に示す陳列什器２は、複数の眼鏡１ａを陳列する。陳列什器２は、図示しない陳列棚上に設置される陳列スタンド構造で、以下、必要に応じて陳列スタンド２と称する。陳列スタンド２は、支持板１０と、複数例えば３枚の同一サイズの仕切板２０と、複数例えば６本の同一長さのシャフト３０を備える。支持板１０は、横幅が同じ矩形の第１支持板１１と第２支持板１２を組立分解可能に連結した複合板である。第１支持板１１は陳列棚の上面に載置されて使用されることから、以下、これを必要に応じて底板１１と称する。また、第２支持板１２は、底板１１の背面に起立して使用されることから、以下、これを必要に応じて背板１２と称する。これら底板１１と背板１２と、３枚の仕切板２０は、カラーレンズやフレームを有する眼鏡１ａの展示に有効なアクリル樹脂板が適用され、シャフト３０にはアクリルクリア丸棒が適用される。なお、これらスタンド構成部品の材質は樹脂製に限らず、陳列品の種類、陳列形態に応じて適宜に選択される。【００２０】
図１の陳列スタンド２は組立式で、全体の分解斜視図が図４に示される。図２は、概ね組み立てられた陳列スタンド２の３枚の仕切板２０に最終の１本のシャフト３０を貫通させるときの斜視図である。【００２１】
支持板１０を構成する底板１１と背板１２は、組立分解が容易なように概ね同様なサイズ、形状を成す。底板１１は横長矩形の水平板であり、背板１２は横長矩形の垂直板である。底板１１の後辺の縁部と、背板１２の下辺の縁部に、図５に示すように互いに着脱容易な差し込み式の係合手段１３（１３ａと１３ｂ）が形成される。図５に示す底板１１の係合手段１３ａは、図４で上面になる底板内面の後辺側の縁部に形成されたレール溝１３ａである。このレール溝１３ａは、底板１１の後辺の縁部上に一体に立設された一対のレール板１３’ａの間に形成される。背板１２の係合手段１３ｂは、背板１２の下辺側の縁部１３ｂである。この縁部１３ｂは、全長に亘り平板状で、図５（Ａ）（Ｂ）に示すように、レール溝１３ａに真上から差し込んで係合させ、真上に抜けるようにしてある。縁部１３ｂをレール溝１３ａに差し込むことで、底板１１の後端部と背板１２の下端部がほぼ直角の交差角度θで連接される。【００２２】
図４に示すように底板１１は、内面に底板縦幅方向に３条の係合溝１５を有する。係合溝１５は、底板１１の内面に一体に突設された一対のレール板１５’の間に形成されたレール溝である。３条の係止溝１５は互いに一定の間隔で離隔し、各係止溝１５の後方端はレール溝１３ａの内側レール板１３’ａに達する。係止溝１５の溝幅は、平板状の仕切板２０の板厚にほぼ等しく、仕切板２０の下辺の縁部２０ａが係止溝１５に差し込まれる。【００２３】
図４に示すように背板１２も、内面に縦方向に３条の係合溝１６を有する。係合溝１６は、背板１２の内面に一体に突設された一対のレール板１６’の間に形成されたレール溝である。係止溝１６の溝幅は、底板１１の係止溝１５の溝幅と同じで、仕切板２０の後辺の縁部２０ｂが係止溝１６に差し込まれる。３条の係止溝１６は、底板１１の３条の係止溝１５と同じ間隔、位置で互いに離隔する。各係止溝１５のレール板１６’は、背板１２の係止手段１３である下辺の縁部１３ｂから上方に延在する。底板１１と背板１２を直交させて連結すると、底板１１の各係合溝１５の後端部開口と背板１２の各係合溝１６の下端部開口が連通する。また、３条の係止溝１６のそれぞれのレール板１６’の中央１箇所に固定手段、例えばビス１８を取り付けるための止め穴１７が形成される。後述するように係止溝１６に差し込まれた仕切板２０の縁部２０ｂがレール板１６’に、固定手段であるビス１８で適宜に固定される。【００２４】
３枚の仕切板２０は、同一サイズの扇形の平板で、下辺と後辺の直交二辺の縁部２０ａ、２０ｂと、１／４円弧の二次曲線を描く二次曲線状縁部２０ｃを有する。直交二辺の縁部２０ａ、２０ｂが支持板１０側に支持される縁部であり、この縁部と反対側の縁部が二次曲線状縁部２０ｃである。３枚の各仕切板２０は、二次曲線状縁部２０ｃの近くにシャフト３０が貫通する取付孔２１を板厚方向に貫通させて有する。１枚の仕切板２０の取付孔２１は、シャフト３０の本数（６本）に合わせて６箇所に形成され、その配列は二次曲線状縁部２０ｃに合わせて二次曲線状に並ぶようにしてある。二次曲線状縁部２０ｃに、陳列品である眼鏡１ａを着脱自在に保持する凹凸部２２を形成している。この凹凸部２２は眼鏡１ａの鼻受として使用される切欠きで、１つの二次曲線状縁部２０ｃにシャフト３０の本数（６本）に合わせて６箇所に形成される。【００２５】
また、各仕切板２０の後辺側縁部２０ｂの下端部には、図５（Ｂ）に示すような切欠き２３を形成している。仕切板２０の下辺の縁部２０ａを底板１１の係止溝１５に差し込んだとき、切欠き２３に底板１１の内外一対のレール板１３’ａの内側レール板が嵌入するようにして、仕切板２０が安定して取付けられるようにしてある。この切欠き２３は、支持板１０に仕切板２０を取付ける際の方向性の目印としても利用できる。【００２６】
６本の各シャフト３０は同一線径、同一長さの丸棒で、それぞれに両端部に係止溝３１を有する。係止溝３１は、図２の部分拡大図に示すように、シャフト３０の周方向全周に形成される。シャフト３０の線径は、仕切板２０の取付孔２１の孔径より若干大きく、１本のシャフト３０が取付孔２１に多少の摩擦抵抗で挿通できるようにしてある。係止溝３１の溝幅は、仕切板２０の板厚とほぼ同じである。シャフト３０を取付孔２１に挿通して、係止溝３１が取付孔２１の位置で停止すると、取付孔２１の両エッジが係止溝３１の両エッジに係止する。１本のシャフト３０の両端部のみに形成した２箇所の係止溝３１の離間距離は、複数の仕切板２０の配列方向で両端にある２枚の仕切板の離間距離に設定される。仕切板２０が３枚の場合、両側２枚の仕切板２０の取付孔２１にシャフト３０の両端部の係止溝３１が係止して、両側２枚の仕切板２０の間隔が規制され、維持される。【００２７】
以上の陳列スタンド２の組立は、次のように行うことができる。底板１１の各係止溝１５に１枚ずつ仕切板２０の下辺の縁部２０ａを真上から差し込む。この場合、係止溝１５の先端開口から縁部２０ａの切欠き２３のある端部から差し込むようにしてもよい。図５（Ｂ）に示すように切り欠き２３をレール板１３’ａに嵌入する。次に、３枚の仕切板２０の後辺の縁部２０ｂを背板１２の対応する係止溝１６に差し込み、背板１２の下辺の縁部１３ｂを底板１１の後辺のレール溝１３ａに差し込んで、縁部２０ｂを係止溝１６にビス１８で固定する。このような底板１１と背板１２と仕切板２０の差し込み式組付けとビス止めは、手作業で簡易に行える。【００２８】
なお、別の組付順序としては、背板１２と仕切板２０を組み付けてから底板１１を組み付けることが可能であり、さらに、底板１１と背板１２を組み付けてから、この両者に仕切板２０を組み付けることもできる。【００２９】
図２に示すように、底板１１と背板１２と仕切板２０の三者を組み付けてから、３枚の仕切板２０に計６本のシャフト３０を１本ずつ取付ける。１本のシャフト３０を、３枚平行に並ぶ仕切板２０の最外側１枚から中間の１枚、最後に残った１枚の各仕切板２０の取付孔２１に挿通する。シャフト３０の両端部の係止溝３１を最外側２枚の仕切板２０の取付孔２１に係止させて、１本のシャフト３０の取付が終了する。３枚の仕切板２０の二次曲線状縁部２０ｃの近くを６本のシャフト３０が貫通して支持することで、３枚の仕切板２０の姿勢が安定し、陳列スタンド２の組付強度が高く安定する。【００３０】
陳列スタンド２での眼鏡１ａの陳列は、図１に示すように行える。１個の眼鏡１ａの鼻受を仕切板２０の任意の１箇所の凹凸部２２に載せ掛けて、眼鏡１ａの両側フレームを１本のシャフト３０に載せ掛ける。このようにすることで陳列スタンド２には、仕切板６の枚数とシャフト３０の本数を掛けた３×６＝１８個の眼鏡１ａが陳列できる。縦一列の６個の眼鏡１ａが１／４円弧状の二次曲線展示されるので、６個全てが見易く、展示の意匠性に優れる。【００３１】
陳列スタンド２を分解する場合は、上記の組立順序と逆の手順で行えばよい。また、陳列スタンド２が埃などで汚れた場合は、全体を分解して掃除することもできるが、図６に示すように、底板１１のみを分解して掃除することができる。陳列スタンド２に埃は主に底板１１の上に溜まり、掃除は主に底板１１に対して行われる。底板１１は背板１２や仕切板２０に差し込み式に係合されているのみであるので、底板１１に対して背板１２と仕切板２０を持ち上げると、底板１１が容易に外れて、掃除がし易くなる。底板１１を外すとき、背板１２に仕切板２０がビス１８で固定されているので、底板１１の取外し作業が容易になり、掃除後の底板取付け作業も容易になる。【００３２】
次に、図７〜図９を参照して第２の実施形態を説明する。【００３３】
図７の陳列什器２で陳列される陳列品は携帯電話１ｂである。この陳列什器２の支持板１０は、横長矩形の１枚板のみで構成している。支持板１０は、図示しない陳列室などの壁面に鉛直姿勢で直接に、又は、間隔を開けてビス止めされる。支持板１０の陳列側となる前面（内面）に複数枚、例えば５枚の仕切板２０を直交させて設置し、各仕切板２０を横方向に複数本、例えば６本のシャフト３０が貫通する。ここでの５枚の各仕切板２０は、支持板１０の前面に縦方向に支持される直線状縁部２０ａと、この縁部２０ａの両端から前方に半円弧状に延在する二次曲線状縁部２０ｃを有する。各仕切板２０は、二次曲線状縁部２０ｃの近くに、６本のシャフト３０の取付孔２１を有する。図９に示すように、シャフト３０は、両端部に係止溝３１を有する。仕切板２０とシャフト３０の取付構造は、基本的に図１の場合と同様であることから、詳細説明は省略する。【００３４】
図７の陳列什器２の図１陳列スタンドと相違するところは、サイズの異なる複数の仕切板２０に、屈曲可能な弾性を有するシャフト３０を蛇行状に屈曲させて貫通させたことである。５枚の仕切板２０を図８で手前側から第１仕切板２０−１、第２仕切板２０−２、第３仕切板２０−３、第４仕切板２０−４、第５仕切板２０−５とすると、図９に示すように、支持板１０の前面からの各仕切板の突出長Ｌを大小相違させる。図９においては、第１仕切板２０−１の突出長が第２仕切板２０−２より大きく、第２仕切板２０−２と第３仕切板２０−３の突出長がほぼ同じである。また、第４仕切板２０−４の突出長を第３仕切板２０−３と第５仕切板２０−５の突出長より大きくしてある。【００３５】
図８と図９に示すように、１本の屈曲可能なシャフト３０を第１仕切板２０−１の取付孔２１に挿通し、続いて第２仕切板２０−２と第３仕切板２０−３の取付孔２１へと挿通する。シャフト３０を第２仕切板２０−２から第３仕切板２０−３に向かわせるとき、各仕切板の突出長の差でシャフト３０が円弧状に屈曲する。最終的に１本のシャフト３０は、５枚の各仕切板２０の間で前後方向に屈曲して蛇行した状態で、５枚の各仕切板２０の取付孔２１に係止される。弾性のシャフト３０は屈曲方向と反対方向に弾性復帰しようとし、この復帰力が図９の鎖線矢印で示す方向に作用して、シャフト３０の５箇所が対応する取付孔２１に弾圧的に係止する。この弾圧係止により、シャフト３０の取付強度が増し、５枚の仕切板２０の姿勢が安定する。また、横方向で蛇行する６本のシャフト３０が仕切板２０の縦方向の二次曲線状縁部２０ｃに沿うように縦方向に二次曲線状に配列されるため、６本のシャフト３０が三次曲面に沿う配列となる。この６本のシャフト３０に複数の携帯電話１ｂを保持させることで、複数の携帯電話１ｂを三次曲面で意匠効果よく展示することができる。【００３６】
なお、本発明は、上記した実施の形態に限定されるものではなく、本発明の要旨を逸脱しない範囲内において種々変更を加え得ることは勿論である。【００３７】
例えば、図１の陳列什器２においては、上下を逆にして底板１１を陳列棚の下面などに取付ける天板として使用することも可能である。同様に図７の陳列什器２は、１枚板の支持板１０を天板としてしようして、各シャフト３０に陳列品を吊り下げて展示する用途などが可能である。【００３８】
また、図７の陳列什器２の場合、支持板１０に対して複数の各仕切板２０を上下方向にスライド移動自在に取り付けることができる。この取付けは、支持板１０の前面に縦方向にレール溝を形成し、このレール溝に仕切板２０の縁部２０ａを上下に摺動自在に係合させることで取り付けることで容易に可能となる。このようにすると、複数の仕切板２０の一部を上下にスライドさせることでシャフト３０の屈曲形態を変更させることができる。或いは、複数の仕切板２０にシャフト３０を直線状にしたまま貫通させて取り付けてから、仕切板２０を適宜にスライドさせてシャフト３０を屈曲させることができる。仕切板２０にシャフト３０を直線状にして貫通させることで、シャフト取付作業が容易になる。【００３９】
また、図１の陳列スタンド２や図７の陳列什器２のいずれにおいても、支持板１０に対して複数の各仕切板２０をその板厚方向にスライド移動自在に取り付けることができる。この場合、図１の陳列スタンド２においては、レール板１５’、１６’を支持板１０に対して横方向にスライド自在に取り付ければよい。このように各仕切板２０を横方向にスライド自在に取り付けることで、隣接する仕切板の間隔が陳列品の種類に合わせて適宜に調整できる。
【図１】
2007097021.tif 000003
【図２】
2007097021.tif 000004
【図３】
2007097021.tif 000005
【図４】
2007097021.tif 000006
【図５】
2007097021.tif 000007
【図６】
2007097021.tif 000008
【図７】
2007097021.tif 000009
【図８】
2007097021.tif 000010
【図９】
2007097021.tif 000011
【国際調査報告】
2007097021.tif 000012
2007097021.tif 000013
2007097021.tif 000014
2007097021.tif 000015